(57)【要約】【課題】来の同期機の励磁装置では、これらの監視、保守が必要な場合には、現場にある制御盤の前に行くことが必要であるという課題があった。【解決手段】同期機を制御するための演算を行う演算部３１と、前記演算部の演算結果を表示する表示部３２と、前記表示部に表示されている情報を収集するサーバ６と、前記表示部と前記サーバを接続するハブ３３と、前記サーバに通信網７を介して接続され、前記表示部に表示されている情報を閲覧するパソコン８とを設けた。【効果】オフィスや、メーカの工場等の遠隔地から監視、保守を実施することができる。【選択図】        図１
2004248428.tif 000002
【特許請求の範囲】
【請求項１】
同期機を制御するための演算を行う演算部と、
前記演算部の演算結果を表示する表示部と、
前記表示部に表示されている情報を収集するサーバと、
前記表示部と前記サーバを接続するハブと、
前記サーバに通信網を介して接続され、前記表示部に表示されている情報を閲覧する端末装置と
を備えたことを特徴とする同期機の励磁制御装置の遠隔監視システム。
【請求項２】
同期機を制御するための演算を行う演算部と、
前記演算部の演算結果を表示する表示部と、
前記演算部及び前記表示部と通信網を接続するハブと、
前記ハブに前記通信網を介して接続され、前記演算部内の情報を表示する端末装置と
を備えたことを特徴とする同期機の励磁制御装置の遠隔監視システム。
【請求項３】
同期機を制御するための演算を行う演算部と、
前記演算部の演算結果を表示する表示部と、
励磁制御装置の設定が可能で、遠隔から操作できる機能が付加されたメンテナンスツールと、
前記演算部及び前記表示部と前記メンテナンスツールを接続するハブと、
前記メンテナンスツールに通信網を介して接続され、前記メンテナンスツールを操作する端末装置と
を備えたことを特徴とする同期機の励磁制御装置の遠隔監視システム。
【発明の詳細な説明】
【０００１】
【発明の属する技術分野】
この発明は、例えば同期機の励磁制御装置を遠隔から監視、保守する為の同期機の励磁制御装置の遠隔監視システムに関するものである。
【０００２】
【従来の技術】
従来の同期機の励磁装置において、過励磁制限器では、界磁電流信号が過励磁制限設定器の過励磁制限信号より大きいとき、その大きさに応じて交流励磁機界磁電流信号を減少させる。交流励磁機では界磁電流が減少され、同期発電機の界磁電流が所定値に制限される（例えば、特許文献１参照）。
【０００３】
【特許文献１】
特開平０５−２７６７９７号公報（第１頁、図１）
【０００４】
【発明が解決しようとする課題】
上述したような従来の同期機の励磁装置では、これらの監視、保守が必要な場合には、現場にある制御盤の前に行くことが必要であるという問題点があった。
【０００５】
また、警報等の表示は中央制御室などに表示することも可能であったが、中央制御パネル等の限られた場所での表示となっており、例えばオフィスや、メーカの工場等からの監視、保守は困難であるという問題点があった。
【０００６】
この発明は、上述のような課題を解決するためになされたもので、その目的は、例えばオフィスや、メーカの工場等の遠隔地から監視、保守を実施することができる同期機の励磁制御装置の遠隔監視システムを得るものである。
【０００７】
【課題を解決するための手段】
この発明に係る同期機の励磁制御装置の遠隔監視システムは、同期機を制御するための演算を行う演算部と、前記演算部の演算結果を表示する表示部と、前記表示部に表示されている情報を収集するサーバと、前記表示部と前記サーバを接続するハブと、前記サーバに通信網を介して接続され、前記表示部に表示されている情報を閲覧する端末装置とを設けたものである。
【０００８】
【発明の実施の形態】
実施の形態１．
この発明の実施の形態１に係る同期機の励磁制御装置の遠隔監視システムについて図面を参照しながら説明する。図１は、この発明の実施の形態１に係る同期機の励磁制御装置の遠隔監視システムの構成を示す図である。なお、各図中、同一符号は同一又は相当部分を示す。
【０００９】
図１において、同期機の励磁制御装置は、変圧器（ＰＴ）２と、自動電圧調整器（ＡＶＲ）３と、励磁機（ＥＸＣ）４とを備える。
【００１０】
また、同図において、変圧器（ＰＴ）２は、同期機（Ｇ）１の出力電圧を測定する。自動電圧調整器（ＡＶＲ）３は、変圧器２の出力によって同期機１の出力電圧を調整する。励磁機（ＥＸＣ）４は、自動電圧調整器３の出力により同期機１の界磁電圧を出力する。同期機１の界磁巻線５は、励磁機４の出力電流を流す。
【００１１】
また、同図において、演算部（ＣＰＵ）３１は、自動電圧調整器３において、同期機１の電圧を制御するための演算を行う。表示部３２は、通信機能が付加され、演算部３１の演算結果や、自動電圧調整器３の状態を表示する。ハブ（ＨＵＢ）３３は、自動電圧調整器３をインターネット、イントラネット等の通信網７に接続する。
【００１２】
さらに、同図において、サーバ６は、ＷＥＢ公開用ソフトウェアが追加され、表示部３２の情報を通信網７に公開する。通常のＷＥＢブラウザを搭載したパソコン（端末装置）８は、オフィスやメーカの工場などに設置されている。パソコン８は、通信網７を介して表示部３２の情報の表示および定数設定などを行う。
【００１３】
つぎに、この実施の形態１に係る同期機の励磁制御装置の遠隔監視システムの動作について図面を参照しながら説明する。
【００１４】
この実施の形態１では、励磁制御装置の状態表示および定数設定等を行う表示部３２に通信機能を付加し、サーバ６にＷＥＢ公開用ソフトウェアを付加することで、表示部３２に表示される情報を遠隔のパソコン８上のＷＥＢブラウザ等に表示することを可能とし、遠隔からの監視、保守を可能とするものである。
【００１５】
自動電圧調整器３は、変圧器２の値にしたがって、演算部３１により、制御目標値と同期機１の電圧を比較し、励磁機４に対して励磁出力制御信号を出力する。また、演算部３１では、これらの制御演算のほかに、自動電圧調整器３及び励磁機４の故障、警報等の情報や、同期機１や励磁機４の運転状態等も監視しており、必要に応じて表示部３２にこれらを表示することができる。さらに、演算部３１内部では、制御ロジックや、制御定数、警報の履歴等を持っており、表示部３２からこれら定数等の設定、変更が可能である。なお、自動電圧調整器３は、図示していないが、発電機出力電流を計測するＣＴ、励磁機４の出力を計測する変換器、発電機の出力電力、無効電力をＰＴ、ＣＴから演算するソフトウェア（演算部３１に組み込み）、発電機の回転数を計測する装置、母線電力を計測する装置などを含み、上記各機器からの情報を演算部３１は内部に持ち、リモート監視が可能である。
【００１６】
すなわち、演算部（ＣＰＵ）３１は、同期機（Ｇ）１の励磁制御を行う。演算部３１は、同期機１の状態、励磁制御装置の状態、制御設定値、警報等の情報を演算する。これらの情報は、メンテナンス用の表示部３２で表示され、表示部３２から励磁制御装置の設定変更等を行うことができる。演算部３１は、他装置との間で情報を入出力するための通信インターフェースを有し、演算結果を表示部３２で表示する。また、表示部３２は、定数設定等を演算部３１に入力する。
【００１７】
さらに、サーバ６は、ハブ（ＨＵＢ）３３を介して表示部３２に表示された情報を収集し、ＷＥＢ上で公開するために変換を行う。このＷＥＢ上で公開された情報は、通信網７を介して接続されたパソコン８から容易に閲覧可能となる。また、逆に、パソコン８から通信網７を介して表示部３２に設定変更を行うことで、励磁制御装置の設定変更を遠隔から実行することができる。
【００１８】
この実施の形態１によれば、現場の励磁制御装置にて監視、保守用に使用される表示部３２と同様の情報収集、操作を、例えばオフィスなどの通常のパソコン８から、特殊なソフトウェア等を必要とせずに、容易に実行することができるという利点がある。
【００１９】
また、この実施の形態１によれば、事故や故障時に現場の励磁制御装置の前まで行くこと無く、状態が把握できる為、時間を短縮できる利点があることに加え、例えば励磁制御装置をメンテナンスするメーカの工場から現場の表示部３２の情報をすぐに監視できることにより、的確な対応が素早くできるという利点もある。
【００２０】
さらに、励磁制御装置の各情報をオフィスなどのパソコン８に電子データとして取り込めることから、警報履歴や、運転情報履歴などのデータとして収集し、帳票に利用することも可能になるという利点もある。
【００２１】
実施の形態２．
この発明の実施の形態２に係る同期機の励磁制御装置の遠隔監視システムについて図面を参照しながら説明する。図２は、この発明の実施の形態２に係る同期機の励磁制御装置の遠隔監視システムの構成を示す図である。
【００２２】
図２において、演算部（ＣＰＵ）３１Ａは、ＷＥＢ公開用ソフトウェアが追加されている。
【００２３】
つぎに、この実施の形態２に係る同期機の励磁制御装置の遠隔監視システムの動作について図面を参照しながら説明する。
【００２４】
この実施の形態２では、励磁制御装置の演算部（ＣＰＵ）３１Ａに、従来の制御用演算に加え、ＷＥＢ公開用ソフトウェアを付加することで、表示部３２および遠隔のパソコン（端末装置）８上で監視、保守を行うことを可能とするものである。
【００２５】
この実施の形態２によれば、演算部（ＣＰＵ）３１Ａに、サーバ６と同様に、通信網７に情報を入出力することができる機能、つまり、ＷＥＢ公開用ソフトウェアが搭載されているため、サーバ６を必要とせず、パソコン８は、通信網７とＨＵＢ３３を介して、演算部３１Ａと表示部３２に接続され、励磁制御装置の演算部３１Ａ内の情報を表示することができる。そのため、サーバ６等の追加のハードウェアが必要ないという利点がある。
【００２６】
実施の形態３．
この発明の実施の形態３に係る同期機の励磁制御装置の遠隔監視システムについて図面を参照しながら説明する。図３は、この発明の実施の形態３に係る同期機の励磁制御装置の遠隔監視システムの構成を示す図である。
【００２７】
図３において、励磁制御装置の内部（制御用）ソフトウェア、制御定数、警報履歴などの変更、設定あるいは閲覧が可能な専用のメンテナンスツール３４に、遠隔から操作できる機能を付加したものである。このメンテナンスツール３４は、ノートパソコン等が該当し、遠隔操作（通信）ソフトウェアを搭載したものである。
【００２８】
つぎに、この実施の形態３に係る同期機の励磁制御装置の遠隔監視システムの動作について図面を参照しながら説明する。
【００２９】
この実施の形態３は、励磁制御装置のメンテナンスツール３４を、通信網７を介してパソコン８から操作することができるようにしたものである。
【００３０】
この実施の形態３では、励磁制御装置の内部ソフトウェアの変更を行うことのできるメンテナンスツール３４を励磁制御装置内に設けて、メンテナンスツール３４を遠隔から操作することができるようにソフトウェアを追加することで、遠隔からのソフトウェア変更を含めた詳細なメンテナンスを行うことを可能とするものである。
【００３１】
この実施の形態３においては、通常、励磁制御装置のメンテナンス時にのみ用いるメンテナンスツール３４を励磁制御装置に常時接続する。このメンテナンスツール３４を遠隔から操作することのできる遠隔操作ソフトウェアを追加することで、上記の実施の形態１及び２における遠隔からの同期機１の運転状態監視、励磁制御装置の状態表示、制御定数設定、警報監視等に加え、詳細な内部変数の状態監視、解析や、ソフトウェア変更も含めたより詳細なメンテナンスを行うことができるという利点がある。
【００３２】
また、メンテナンスツール３４によって、励磁制御装置の全ソフトウェアの状態が監視できることから、例えばメンテナンスを行うメーカが、励磁制御装置の故障、事故などの時に遠隔からメンテナンスツール３４を使用することで、的確な事故解析、対応を素早く実施することが出来、移動等による時間的、コスト的な損失が抑えられるという利点もある。
【００３３】
さらに、上記の実施の形態１及び２において、ハードウェア的な接続順序等を変更することでも同様の機能を実現できること、そして、この実施の形態３において、メンテナンスツール３４に上記実施の形態１に示すようなサーバ機能を持たせることで、上記実施の形態１と同等の使用方法が可能であることは言うまでもない。
【００３４】
【発明の効果】
この発明に係る同期機の励磁制御装置の遠隔監視システムは、以上説明したとおり、オフィスや、メーカの工場等の遠隔地から監視、保守を実施することができるという効果を奏する。
【図面の簡単な説明】
【図１】この発明の実施の形態１に係る同期機の励磁制御装置の遠隔監視システムの構成を示す図である。
【図２】この発明の実施の形態２に係る同期機の励磁制御装置の遠隔監視システムの構成を示す図である。
【図３】この発明の実施の形態３に係る同期機の励磁制御装置の遠隔監視システムの構成を示す図である。
【符号の説明】
１  同期機（Ｇ）、２  変圧器（ＰＴ）、３  自動電圧調整器（ＡＶＲ）、４励磁機（ＥＸＣ）、５  界磁巻線、６  サーバ、７  通信網、８  パソコン（端末装置）、３１、３１Ａ  演算部（ＣＰＵ）、３２  表示部、３３  ハブ（ＨＵＢ）、３４  メンテナンスツール。
【図１】
2004248428.tif 000003
【図２】
2004248428.tif 000004
【図３】
2004248428.tif 000005